(57)【特許請求の範囲】
【請求項１】
複数の発光素子と、
前記複数の発光素子の各々と一対一に対応して形成され、前記複数の発光素子の各々から出射する光を拡散させる複数の光拡散構造体と、
前記複数の発光素子を覆うように配置され、透光性及び光拡散性を有するカバー部材と、
前記複数の光拡散構造体が設けられた反射部材とを備え、
前記複数の発光素子の各々は、前記複数の光拡散構造体の各々に向けて配置されており、
前記複数の光拡散構造体と前記複数の発光素子とは、同じ方向に沿って配列されており、
前記複数の光拡散構造体のピッチと前記複数の発光素子のピッチとが同じであり、
前記複数の光拡散構造体の各々は、前記複数の発光素子の各々から出射する光を反射によって拡散させ、
前記反射部材は、筐体であり、
前記反射部材の内部空間には、前記複数の発光素子を発光させるための電力を生成する電源ユニットが配置されている
照明装置。
【請求項２】
複数の発光素子と、
前記複数の発光素子の各々と一対一に対応して形成され、前記複数の発光素子の各々から出射する光を拡散させる複数の光拡散構造体と、
前記複数の発光素子を覆うように配置され、透光性及び光拡散性を有するカバー部材と、
前記複数の光拡散構造体が設けられた反射部材とを備え、
前記複数の発光素子の各々は、前記複数の光拡散構造体の各々に向けて配置されており、
前記複数の光拡散構造体の各々は、前記反射部材の表面から突出する形状であり、
前記複数の光拡散構造体と前記複数の発光素子とは、同じ方向に沿って配列されており、
前記複数の光拡散構造体のピッチと前記複数の発光素子のピッチとが同じであり、
前記反射部材は、筐体であり、
前記反射部材の内部空間には、前記複数の発光素子を発光させるための電力を生成する電源ユニットが配置されている
照明装置。
【請求項３】
基板及び前記基板に配置された複数の発光素子を有する発光モジュールと、
前記複数の発光素子の各々と一対一に対応して形成され、前記複数の発光素子の各々から出射する光を拡散させる複数の光拡散構造体と、
前記複数の光拡散構造体が設けられた反射部材と、
前記複数の発光素子を覆うように配置され、透光性及び光拡散性を有するカバー部材と、
前記発光モジュール及び前記反射部材を支持する基台とを備え、
前記複数の発光素子の各々は、前記複数の光拡散構造体の各々に向けて配置されており、
前記カバー部材は、前記基台に固定されており、
前記反射部材は、筐体であり、
前記反射部材の内部空間には、前記複数の発光素子を発光させるための電力を生成する電源ユニットが配置されている
照明装置。
【請求項４】
前記複数の光拡散構造体は、前記複数の発光素子の配列方向と同じ方向に沿って一列で配列されている
請求項２又は３に記載の照明装置。
【請求項５】
前記反射部材は、前記複数の発光素子に向けて傾斜された傾斜面を有する
請求項１〜４のいずれか１項に記載の照明装置。
【請求項６】
前記複数の光拡散構造体及び前記反射部材は、一体である
請求項１〜５のいずれか１項に記載の照明装置。
【請求項７】
前記カバー部材は、長尺状であり、
前記複数の発光素子及び前記複数の光拡散構造体は、前記カバー部材の長手方向に沿って配置されている
請求項１〜６のいずれか１項に記載の照明装置。
【発明の詳細な説明】
【技術分野】
【０００１】
本発明は、照明装置に関し、特に、発光ダイオード（ＬＥＤ：Ｌｉｇｈｔ  Ｅｍｉｔｔｉｎｇ  Ｄｉｏｄｅ）を光源とする照明装置に関する。
【背景技術】
【０００２】
ＬＥＤ等の固体発光素子は、高効率で省スペースな光源として、照明装置又はディスプレイ等の各種機器に広く利用されている。照明用途において、ＬＥＤは、例えば天井や壁等の造営材に設置されるシーリングライトやダウンライト等の各種照明器具、又は、照明器具の光源として電球形ランプや直管ランプ等の各種ランプに用いられている。
【０００３】
例えば、特許文献１には、複数のＬＥＤが直線状に配列された長尺状の基板を備えるＬＥＤ照明ユニットと、ＬＥＤ照明ユニットが着脱自在に取り付けられる照明器具外殻体とを備える長尺状の照明器具が開示されている。
【先行技術文献】
【特許文献】
【０００４】
【特許文献１】特開２００５−３０２４８４号公報
【特許文献２】特開２００９−２５９５４５号公報
【発明の概要】
【発明が解決しようとする課題】
【０００５】
複数の発光素子を用いた照明装置では、点灯時に光のつぶつぶ感（輝点）が目立ち、輝度むらが発生する。特に、ＬＥＤは指向性の強い点光源であるので発光素子として複数のＬＥＤを用いた照明装置では輝度むらが目立つ。また、複数の発光素子が直線状に配置された長尺状の照明装置についても、複数の発光素子がマトリクス状に配置された照明装置と比べて輝度むらが目立ちやすい。
【０００６】
このように、複数の発光素子を用いた照明装置では、輝度むらが発生し、均一な発光を得ることが難しい。
【０００７】
そこで、ＬＥＤからの出射光を筐体内部に設けられた拡散反射面で一度拡散反射させてから外部に取り出すことで均一でむらのない線状の発光が得られる長尺状の照明装置が提案されている（特許文献２）。
【０００８】
しかしながら、特許文献２に開示された照明装置において均一な発光を実現するには、光を拡散させるための所定の大きさの内部空間領域を確保することが必要となる。このため、特許文献２に開示された照明装置の構成では、装置全体を小型化及び薄型化するには限界があった。
【０００９】
本発明は、このような課題を解決するためになされたものであり、輝度むらを抑制して均一な発光を得ることができ、かつ、小型化及び薄型化できる照明装置を提供することを目的とする。
【課題を解決するための手段】
【００１０】
上記目的を達成するために、本発明に係る照明装置の一態様は、複数の発光素子と、前記複数の発光素子の各々と一対一に対応して形成され、前記複数の発光素子の各々から出射する光を拡散させる複数の光拡散構造体と、前記複数の発光素子を覆うように配置され、透光性及び光拡散性を有するカバー部材とを備え、前記複数の発光素子の各々は、前記複数の光拡散構造体の各々に向けて配置されている。
【発明の効果】
【００１１】
本発明によれば、輝度むらを抑制して均一な発光を得ることができ、かつ、小型化及び薄型化できる照明装置を実現できる。
【図面の簡単な説明】
【００１２】
【図１】実施の形態に係る照明装置の外観を示す斜視図である。
【図２Ａ】実施の形態に係る照明装置の内部構造を模式的に示す断面図である。
【図２Ｂ】図２ＡのＩＩＢ−ＩＩＢ線における実施の形態に係る照明装置の断面図である。
【図３Ａ】実施の形態に係る照明装置の光学作用を説明するための要部拡大断面図である。
【図３Ｂ】実施の形態に係る照明装置の光学作用を説明するための断面図である。
【図４Ａ】変形例に係る照明装置の内部構造を模式的に示す断面図である。
【図４Ｂ】図４ＡのＩＶＢ−ＩＶＢ線における変形例に係る照明装置の断面図である。
【発明を実施するための形態】
【００１３】
以下、本発明の実施の形態について説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１４】
各図は、模式図であり、必ずしも厳密に図示されたものではない。したがって、例えば、各図において縮尺等は必ずしも一致しない。また、各図において、実質的に同一の構成に対しては同一の符号を付しており、重複する説明は省略又は簡略化する。
【００１５】
また、本明細書及び図面において、Ｘ軸、Ｙ軸及びＺ軸は、三次元直交座標系の三軸を表している。Ｘ軸及びＹ軸は、互いに直交し、かつ、いずれもＺ軸に直交する軸である。
【００１６】
（実施の形態）
［照明装置の構成］
実施の形態に係る照明装置１の構成について、図１、図２Ａ及び図２Ｂを用いて説明する。図１は、実施の形態に係る照明装置１の外観を示す斜視図である。図２Ａは、同照明装置１の内部構造を模式的に示す断面図（ＸＹ平面における断面図）であり、図２Ｂは、図２ＡのＩＩＢ−ＩＩＢ線における同照明装置１の断面図（ＹＺ平面における断面図）である。
【００１７】
図１、図２Ａ及び図２Ｂに示すように、照明装置１は、複数の発光素子１２を有する発光モジュール１０と、複数の光拡散構造体２１を有する反射部材２０と、複数の発光素子１２を覆うカバー部材３０と、基台４０と、エンドカバー５０とを備える。
【００１８】
本実施の形態における照明装置１は、長尺状の照明器具であり、例えば、住宅や施設等の建物の壁や天井等の造営材、又は、キッチンや洗面台等の住宅設備等、所定の設置場所に設置される。
【００１９】
発光モジュール１０は、照明装置１の光源モジュールであり、所定の色の光を照射する。例えば、発光モジュール１０は、白色光を照射するが、これに限るものではない。本実施の形態において、発光モジュール１０は、長尺状である。また、照明装置１に内蔵される発光モジュール１０は、１つ又は複数のいずれであってもよい。
【００２０】
図２Ａ及び図２Ｂに示すように、発光モジュール１０は、基板１１と、基板１１に配置された複数の発光素子１２とを備える。
【００２１】
基板１１は、発光素子１２を実装するための実装基板である。基板１１としては、例えば、ガラスエポキシ基材等の樹脂基材をベースとする樹脂基板、金属をベースとして絶縁被覆されたメタルベース基板、又は、酸化アルミニウム等のセラミックス材料の焼結体であるセラミックス基板等を用いることができる。
【００２２】
本実施の形態において、基板１１は、長尺状の矩形基板であるが、基板１１の形状は、これに限るものではない。また、基板１１は、リジッド基板であるが、これに限るものではなく、可撓性を有するフレキシブル基板であってもよい。
【００２３】
なお、図示しないが、基板１１には、発光素子１２に直流電力を供給するための金属配線と、発光素子１２を発光させるための電力を外部から受電するための接続端子とが設けられている。金属配線は、所定のパターンで基板１１の一方の面に形成されている。
【００２４】
複数の発光素子１２の各々は、例えばＬＥＤ光源である。一例として、各発光素子１２は、個々にパッケージ化された表面実装（ＳＭＤ：Ｓｕｒｆａｃｅ  Ｍｏｕｎｔ  Ｄｅｖｉｃｅ）型のＬＥＤ素子であり、図２Ｂに示すように、凹部を有する白色樹脂製のパッケージ１２ａと、パッケージ１２ａの凹部の底面に一次実装されたＬＥＤチップ１２ｂ（ベアチップ）と、パッケージ１２ａの凹部内に封入された封止部材１２ｃとを有している。封止部材１２ｃは、例えばシリコーン樹脂等の透光性樹脂材料で構成されている。封止部材１２ｃは、蛍光体等の波長変換材が含有された蛍光体含有樹脂である。本実施の形態において、各発光素子１２は、Ｂ−Ｙタイプの白色光源であり、ＬＥＤチップ１２ｂとして青色光を発する青色ＬＥＤチップが用いられるとともに、封止部材１２ｃに分散された蛍光体としてＹＡＧ等の黄色蛍光体が用いられている。
【００２５】
複数の発光素子１２は、基板１１の一方の面（オモテ面）に配置されている。具体的には、複数の発光素子１２は、基板１１の長手方向（Ｘ軸方向）に沿って直線状に一列で実装されている。なお、複数の発光素子１２は、等間隔で配置されているが、これに限るものではない。
【００２６】
複数の発光素子１２の各々は、複数の光拡散構造体２１の各々に向けて配置されている。複数の発光素子１２と複数の光拡散構造体２１とは、一対一に対応している。つまり、１つの光拡散構造体２１は、１つの発光素子１２に対応して形成されている。具体的には、複数の光拡散構造体２１は、複数の発光素子１２の配列方向と同じ方向に沿って一列で配列されており、隣り合う２つの光拡散構造体２１の間隔（ピッチ）と隣り合う２つの発光素子１２の間隔（ピッチ）とが同じになっている。なお、光拡散構造体２１と発光素子１２とは同数であるが、これに限るものではない。
【００２７】
このように、複数の発光素子１２及び複数の光拡散構造体２１は、並列するように各々直線状に配列されている。また、複数の発光素子１２及び複数の光拡散構造体２１は、カバー部材３０の長手方向（Ｘ軸方向）に沿って配置されている。
【００２８】
本実施の形態において、各光拡散構造体２１は、対応する各発光素子１２の光軸と重なるように形成されている。したがって、光拡散構造体２１は、発光素子１２の配光角の中心方向の延長上に位置するように形成されている。一例として、各発光素子１２の光軸方向は、Ｙ軸と平行な方向である。
【００２９】
複数の光拡散構造体２１の各々は、複数の発光素子１２の各々から出射する光を拡散させる。具体的には、１つの発光素子１２から出射した光は、この発光素子１２に対向して形成された光拡散構造体２１において散乱することで拡散する。
【００３０】
本実施の形態において、複数の光拡散構造体２１の各々は、複数の発光素子１２の各々から出射する光を反射によって拡散させている。具体的には、１つの発光素子１２から出射した光は、この発光素子１２に対向して形成された光拡散構造体２１の表面に当たって散乱反射することで拡散する。
【００３１】
光拡散構造体２１の形状は、発光素子１２からの光を全方位に均等に拡散する形状であるとよい。例えば、図２Ａ及び図２Ｂに示すように、各光拡散構造体２１を半球状として表面形状を球面にすることで、発光素子１２から出射した光を、光拡散構造体２１で反射して全方位に進行するように拡散させることができる。
【００３２】
光拡散構造体２１は、例えば、金属微粒子等の光拡散材が分散された樹脂材料によって構成される。一例として、光拡散構造体２１は、ポリカーボネート又はアクリル等の樹脂材料に光拡散材として白色の光拡散微粒子（白色微粒子）が分散された白色樹脂である。また、光拡散構造体２１は、樹脂材料に限らず、表面に白色塗膜等の光反射膜が形成された金属体によって構成されていてもよい。
【００３３】
なお、光拡散構造体２１は、発光素子１２の光を表面で全反射する構成に限るものではなく、発光素子１２の光を内部に入射して散乱するような構成であってもよい。つまり、光拡散構造体２１は、光を拡散する構造であれば、透光性を有していてもよい。
【００３４】
光拡散構造体２１は、反射部材２０に設けられている。本実施の形態において、複数の光拡散構造体２１及び反射部材２０は一体であり、光拡散構造体２１は、反射部材２０の一部である。したがって、反射部材２０は、光拡散構造体２１と同じ材料を用いて構成されている。この場合、反射部材２０及び光拡散構造体２１は、例えば白色樹脂を用いた一体成型によって作製することができる。このように作製された反射部材２０は、光拡散構造体２１と同様に光反射性を有しており、発光素子１２の光を反射する。
【００３５】
反射部材２０は、複数の発光素子１２に向けて傾斜された傾斜面２０ａを有する。具体的には、反射部材２０は、略三角柱体のカバー部材３０側の面に複数の半球状の光拡散構造体２１が設けられた形状の反射体であり、反射部材２０のカバー部材３０側の面が、複数の発光素子１２に向けて傾斜する傾斜面２０ａとなっている。傾斜面２０ａは、基台４０の底部４１の底面に対して所定の角度で傾斜している。本実施の形態において、傾斜面２０ａは、光反射面である。
【００３６】
カバー部材３０は、透光性及び光拡散性（光散乱性）を有する。カバー部材３０には、光拡散構造体２１で拡散された発光素子１２からの光が入射する。また、カバー部材３０には、反射部材２０の傾斜面２０ａで反射した発光素子１２からの光及び発光素子１２からの直接光も入射する。カバー部材３０に入射した光は、カバー部材３０を透過して外部に出射する。このとき、カバー部材３０に入射した光は拡散（散乱）して外部に出射する。
【００３７】
カバー部材３０は、例えばポリカーボネート又はアクリル等の透光性樹脂材料又はガラス材料等の透光性を有する材料で構成されている。
【００３８】
カバー部材３０の光拡散性は、例えば、透光性樹脂材料に光反射微粒子等の光拡散材を分散させたり、カバー部材３０の表面（内面又は外面）に光拡散材等を含む乳白色の光拡散膜を形成したりすることで持たせることができる。また、光拡散材を用いることなく、カバー部材３０の表面にシボ加工処理等を施して表面に微小凹凸を形成したり、カバー部材３０の表面にドットパターンを印刷したりすることでも、カバー部材３０に光拡散性を持たせることができる。
【００３９】
このように構成されるカバー部材３０は、複数の発光素子１２（発光モジュール１０）を覆うように配置されている。本実施の形態において、カバー部材３０は、発光素子１２だけではなく、反射部材２０も覆うように配置されている。本実施の形態において、カバー部材３０は、長尺状であり、カバー部材３０の長手方向は、複数の発光素子１２の配列方向と同じである。また、カバー部材３０の断面形状は、図２Ｂに示すように、例えばＵ字状であるが、半円弧状、コ字形状又は直線状であってもよい。
【００４０】
カバー部材３０は、基台４０に固定される。具体的には、図２Ｂに示すように、カバー部材３０のＹＺ断面における両端部が、基台４０の第１側壁部４２及び第２側壁部４３に固定される。なお、カバー部材３０と基台４０とは、接着剤、スナップイン等の係止構造又はネジ止め等によって固定されている。
【００４１】
なお、ＹＺ断面におけるカバー部材３０の上部から湾曲して存在する一対の側壁の長さは、照明装置１の配光に応じて決定すればよく、図２Ｂに示すように、異なっていてもよいし、同じであってもよい。また、カバー部材３０は、反射部材２０（光拡散構造体２１）からの光を配光制御するように構成されていてもよい。例えば、カバー部材３０は、集光又は発散のレンズ機能を有していてもよい。
【００４２】
基台４０は、発光モジュール１０及び反射部材２０を支持するベース部材（フレーム）である。図２Ｂに示すように、基台４０は、底部４１と、第１側壁部４２と、第２側壁部４３とを有する。基台４０は、例えば板金製であり、ＳＰＣＣ（Ｓｔｅｅｌ  Ｐｌａｔｅ  Ｃｏｌｄ  Ｃｏｍｍｅｒｃｉａｌ；冷間圧延鋼板）製の板金（金属板）にロール成形加工又はプレス加工等を施すことにより所定の形状に形成されている。具体的には、基台４０は、底部４１と第１側壁部４２と第２側壁部４３とで断面形状がコ字形状に形成されている。なお、本実施の形態では、第１側壁部４２の高さが第２側壁部４３の高さよりも高くなっているが、これに限るものではない。
【００４３】
基台４０には、発光モジュール１０が固定されている。具体的には、発光モジュール１０は、基台４０の第１側壁部４２に固定されている。この場合、第１側壁部４２の内面に基板１１の他方の面（ウラ面）が接するように発光モジュール１０を基台４０に載置して、基板１１を第１側壁部４２に固定することによって、発光素子１２が光拡散構造体２１に向いた状態で発光モジュール１０を基台４０に保持させることができる。
【００４４】
また、基台４０には、反射部材２０が固定されている。具体的には、反射部材２０の底面が基台４０の底部４１の内面に接触するとともに反射部材２０の側面が基台４０の第２側壁部４３の内面に接触した状態で、反射部材２０は基台４０に固定される。
【００４５】
発光モジュール１０と基台４０及び反射部材２０と基台４０とは、接着剤、スナップイン等の係止構造又はネジ止め等によって固定することができる。
【００４６】
本実施の形態において、カバー部材３０と基台４０とは筐体を構成しており、カバー部材３０と基台４０とで構成される筐体内に、発光モジュール１０及び反射部材２０が収納されている。なお、図２Ａに示すように、カバー部材３０の長手方向の長さと基台４０の長手方向の長さはほぼ同じである。
【００４７】
エンドカバー５０は、カバー部材３０及び基台４０の長手方向の両端部を覆うエンドキャップである。つまり、エンドカバー５０は、２つであり、カバー部材３０及び基台４０の長手方向の一方の端部と他方の端部とに取り付けられている。
【００４８】
エンドカバー５０は、例えば、接着剤、スナップイン等の係止構造又はネジ止め等によってカバー部材３０及び基台４０に固定される。エンドカバー５０は、例えばＰＢＴ（ポリブチレンテレフタレート）等の樹脂材料によって構成された樹脂成形品であるが、金属材料によって構成されていてもよい。
【００４９】
このように構成される照明装置１を造営材等の設置面に設置する場合、カバー部材３０の上部が照射方向に向くように配置するとよい。この場合、例えば、基台４０の底部４１の外面が設置面に対面するような姿勢で照明装置１を設置してもよいし、基台４０の第１側壁部４２の外面が設置面に対面するような姿勢で照明装置１を設置してもよい。
【００５０】
なお、照明装置１を設置面に設置する場合、基台４０を設置面に接触させて基台４０を設置面に固定してもよいし、設置面に取付板を別途固定し、この取付板に基台４０を取り付けることで照明装置１を設置面に設置してもよい。
【００５１】
また、図示しないが、照明装置１は、電源線を介して電源ユニットが接続されている。電源ユニットは、複数の発光素子１２を発光させるための電力を生成する電源装置であり、商用の交流電力を、整流、平滑及び降圧等して所定レベルの直流電力に変換する電源回路を有する。電源ユニットは、例えば、回路基板と、回路基板に実装された複数の回路部品（電子部品）とを有する。回路基板は、銅箔等の金属配線がパターニングされたプリント回路基板（ＰＣＢ）である。複数の回路部品は、例えば、電解コンデンサやセラミックコンデンサ等の容量素子、抵抗器等の抵抗素子、整流回路素子、コイル素子、チョークコイル（チョークトランス）、ノイズフィルタ、ダイオード又は集積回路素子等の半導体素子等である。電源ユニットで生成された直流電力は、電源線を介して発光モジュール１０に供給される。これにより、発光モジュール１０（発光素子１２）が発光する。
【００５２】
［照明装置の光学作用等］
次に、本実施の形態における照明装置１の光学作用を含めた効果について、図３Ａ及び図３Ｂを用いて説明する。図３Ａは、同照明装置１の光学作用を説明するための要部拡大断面図（ＸＹ平面における断面図）である。図３Ｂは、同照明装置１の光学作用を説明するための断面図（ＹＺ平面における断面図）である。
【００５３】
図３Ａ及び図３Ｂに示すように、各発光素子１２は、光拡散構造体２１と一対一に対応しており、かつ、光拡散構造体２１に向けて配置されている。
【００５４】
これにより、発光素子１２から出射した光は、対応する光拡散構造体２１において拡散する。本実施の形態において、発光素子１２から出射する光は、光拡散構造体２１において反射によって拡散する。このとき、光拡散構造体２１は、この光拡散構造体２１に対向する一の発光素子１２から出射した光だけではなく、一の発光素子１２以外の発光素子１２（例えば、一の発光素子１２の両隣りに位置する発光素子１２）から出射した光を拡散してもよい。
【００５５】
光拡散構造体２１で反射した光は、カバー部材３０を透過してカバー部材３０の外部に出射する。このとき、光拡散構造体２１で反射した光は、図３Ｂに示すように、カバー部材３０を透過する際に拡散して外部に出射する。
【００５６】
このように、発光素子１２から出射した光は、光拡散構造体２１で拡散するとともにカバー部材３０でも拡散する。つまり、発光素子１２から出射した光は、光拡散構造体２１とカバー部材３０とで２回拡散して外部に出射する。
【００５７】
これにより、複数の発光素子１２が離散的に配置されていたとしても、発光素子１２から出射した光を複数回拡散させているので、点灯時における複数の発光素子１２の光によるつぶつぶ感（輝点）を目立ちにくくすることができる。この結果、輝度むらが抑制されて均斉度を向上させることができるので、均一な発光を得ることができる。
【００５８】
また、本実施の形態における照明装置１によれば、特許文献２のように大きな内部空間領域を必要としないので、装置全体の小型化及び薄型化を容易に実現することができる。
【００５９】
［まとめ］
以上、本実施の形態における照明装置１によれば、複数の発光素子１２と、複数の発光素子１２の各々と一対一に対応して形成され、複数の発光素子１２の各々から出射する光を拡散させる複数の光拡散構造体２１と、複数の発光素子１２を覆うように配置され、透光性及び光拡散性を有するカバー部材３０とを備えている。そして、複数の発光素子１２の各々は、複数の光拡散構造体２１の各々に向けて配置されている。
【００６０】
これにより、輝度むらを抑制して均一な発光を得ることができ、かつ、小型化及び薄型化できる照明装置１を実現できる。
【００６１】
また、本実施の形態において、複数の光拡散構造体２１の各々は、複数の発光素子１２の各々から出射する光を反射によって拡散させる。
【００６２】
このように、発光素子１２から出射した光を光拡散構造体２１において反射によって拡散させることで、光束を低下させることなく光を拡散させることができる。したがって、輝度むらを抑制して均一な発光を高い光束で得ることができる。
【００６３】
また、本実施の形態において、複数の光拡散構造体２１は反射部材２０に設けられている。
【００６４】
これにより、反射部材２０の表面でも発光素子１２からの光を反射させることができるので、より一層輝度むらを抑制して、さらに均一な発光を得ることができる。
【００６５】
さらに、この場合、本実施の形態において、反射部材２０は、複数の発光素子１２に向けて傾斜された傾斜面２０ａを有している。
【００６６】
これにより、発光素子１２からの光を光拡散構造体２１の中央部付近に容易に到達させることができるので、発光素子１２からの光を容易に均等に拡散させることができる。また、傾斜面２０ａをカバー部材３０に向けることになるので、発光素子１２からの光を傾斜面２０ａで反射させて容易にカバー部材３０に入射させることができる。したがって、より一層均一な発光を得ることができる。
【００６７】
また、本実施の形態において、複数の光拡散構造体２１及び反射部材２０は、一体である。
【００６８】
これにより、複数の光拡散構造体２１及び反射部材２０を一体成型によって容易に作製することができる。
【００６９】
また、本実施の形態において、カバー部材３０は、長尺状であり、複数の発光素子１２及び複数の光拡散構造体２１は、カバー部材３０の長手方向に沿って配置されている。
【００７０】
これにより、直線状に均一な発光を得ることができる長尺状の照明装置１（ライン状光源）を実現することができる。
【００７１】
（変形例）
以上、本発明に係る照明装置について、実施の形態に基づいて説明したが、本発明は、上記実施の形態に限定されるものではない。
【００７２】
例えば、上記実施の形態において、複数の発光素子１２を発光させるための電力を生成する電源ユニットは、照明装置１とは別体にして、照明装置１の外部に別置されていたが、照明装置１に内蔵されていてもよい。
【００７３】
具体的には、図２Ａ及び図２Ｂにおいて、発光モジュール１０の基板１１に電源回路を構成する回路部品を実装することで、電源ユニットを照明装置１に内蔵することができる。この場合、照明装置１には商用電源からの交流電力が供給される。
【００７４】
また、電源ユニットを照明装置に内蔵する場合、図４Ａ及び図４Ｂに示される照明装置１Ａのように、反射部材２０Ａを筐体とし、電源ユニット６０を反射部材２０Ａの内部空間に配置してもよい。電源ユニット６０は、回路基板６１と、回路基板６１に実装された複数の回路部品６２とを有する。
【００７５】
図４Ａ及び図４Ｂにおいて、反射部材２０Ａは、反射板であって、例えば、薄板によって構成することができる。また、光拡散構造体２１は、薄板の一部を半球状に押し出すことで形成することができる。この場合、電源ユニット６０を構成する複数の回路部品は、複数の光拡散構造体２１に対応する位置に分散して配置するとよい。また、光拡散構造体２１の位置に対応する反射部材２０Ａの空間領域には、電解コンデンサ等の背が高い回路部品を配置するとよい。
【００７６】
反射部材２０Ａは、上記実施の形態と同様に、白色樹脂等の絶縁性樹脂材料を用いて形成することができるが、電源ユニット６０（回路部品）との縁面距離を確保することができれば、金属材料を用いて形成してもよい。この場合、反射部材２０Ａは、例えば表面に白色塗膜等の光反射膜が形成された金属板を用いて形成することができる。
【００７７】
このように、図４Ａ及び図４Ｂに示すように、電源ユニット６０を反射部材２０Ａ内に配置して隠すことによって、電源回路を構成する回路部品を基板１１に実装する場合と比べて、より均一な発光を実現できる。つまり、回路部品を基板１１に実装すると、回路部品によって発光素子１１の光が遮光されて影（非発光部）が生じて輝度むらが生じるが、電源ユニット６０を反射部材２０Ａ内に収納することで回路部品による輝度むらの発生を防止することができる。したがって、かつ、均一で非発光部のないシームレスな発光を実現できる。
【００７８】
さらに、図４Ａ及び図４Ｂに示すように、回路部品を分散して配置することによって、複数の回路部品のうちの発熱部品（集積回路等）と耐熱性が低い回路部品（電解コンデンサ等）とを離すことができる。これにより、電源ユニットの熱劣化を抑制できるので、信頼性の高い照明装置１Ａを実現できる。
【００７９】
また、上記実施の形態において、光拡散構造体２１の形状は、半球状としたが、これに限るものではない。例えば、三角錐や四角錐等の多角錐又は円錐等であってもよい。
【００８０】
また、上記実施の形態において、光拡散構造体２１は、反射部材２０の表面から突出する形状としたが、これに限るものではない。例えば、反射部材２０の傾斜面２０ａを荒らす等して反射部材２０の表面に微小凹凸を形成することで光拡散構造体２１を構成してもよい。この場合、各発光素子１２と対向する部分のみの傾斜面２０ａのみに円形又は矩形の微小凹凸領域を形成してもよいし、反射部材２０の傾斜面２０ａの全面に微小凹凸を形成してもよい。
【００８１】
また、上記実施の形態において、照明装置１は、発光モジュール１０の発光状態を制御するための人感センサ又は照度センサを有していてもよい。
【００８２】
また、上記実施の形態において、照明装置１は、調光機能を有していてもよい。さらに、照明装置１は、調色機能を有していてもよい。この場合、発光モジュール１０は、例えば、色温度の異なる複数の発光素子１２を有する。
【００８３】
また、上記実施の形態において、発光モジュール１０は、発光素子１２としてＳＭＤ型のＬＥＤ素子を用いたＳＭＤタイプのＬＥＤモジュールであったが、これに限らない。例えば、発光モジュール１０は、発光素子１２としてＬＥＤチップが用いられたＣＯＢ（Ｃｈｉｐ  Ｏｎ  Ｂｏａｒｄ）タイプのＬＥＤモジュールであってもよい。この場合、発光モジュール１０は、基板１１と、基板１１に直接実装された１つ又は複数のＬＥＤチップ（ベアチップ）と、ＬＥＤチップを封止する蛍光体含有樹脂等の封止部材とによって構成される。
【００８４】
また、上記実施の形態において、照明装置１は長尺状としたが、これに限るものではない。例えば、照明装置１は、円形又は四角であってもよいし、円環状であってもよい。
【００８５】
その他、実施の形態及び変形例に対して当業者が思いつく各種変形を施して得られる形態や、本発明の趣旨を逸脱しない範囲で実施の形態及び変形例における構成要素及び機能を任意に組み合わせることで実現される形態も本発明に含まれる。
【符号の説明】
【００８６】
１  照明装置
１０  発光モジュール
１１  基板
１２  発光素子
１２ａ  パッケージ
１２ｂ  ＬＥＤチップ
１２ｃ  封止部材
２０、２０Ａ  反射部材
２０ａ  傾斜面
２１  光拡散構造体
３０  カバー部材
４０  基台
４１  底部
４２  第１側壁部
４３  第２側壁部
５０  エンドカバー
６０  電源ユニット
【図１】
0006775180.tif 000002
【図２Ａ】
0006775180.tif 000003
【図２Ｂ】
0006775180.tif 000004
【図３Ａ】
0006775180.tif 000005
【図３Ｂ】
0006775180.tif 000006
【図４Ａ】
0006775180.tif 000007
【図４Ｂ】
0006775180.tif 000008